(57)【要約】      （修正有）【課題】肘掛けの見栄えを損なうことなく、メモ台を肘掛けに取り付ける取付強度を向上させることができる椅子を提供する。【解決手段】肘掛け４とメモ台５とを備える椅子において、肘掛け４は、着席者の肘を受ける肘受部１３と肘受部１３の下方に設けられて肘受部１３を支持する肘受支持部１４とを有し、メモ台５は、天板１５と天板１５を支持する天板支持部１６とを有し、天板支持部１６の基部２２を肘受支持部１４に固定した状態で、肘受支持部１４と肘受部１３との間に天板支持部１６の基部２２を挟み込むようにする。【選択図】図７
2014087414.tif 000002
【特許請求の範囲】
【請求項１】
肘掛けとメモ台とを備える椅子において、前記肘掛けは、着席者の肘を受ける肘受部と該肘受部の下方に設けられて該肘受部を支持する肘受支持部とを有し、前記メモ台は、天板と該天板を支持する天板支持部とを有し、該天板支持部の基部を前記肘受支持部に固定した状態で、該肘受支持部と前記肘受部との間に前記天板支持部の基部を挟み込むことを特徴とする椅子。
【請求項２】
前記天板支持部の基部は、前記肘受支持部の前後方向の略中央部に設けられることを特徴とする請求項１に記載の椅子。
【請求項３】
前記メモ台は、前記肘受部の上方に前記天板を配置して着席者が該天板を使用可能な使用位置と、前記肘受部の上方位置から前記天板を退避させる退避位置と、の間で切り換える位置切換手段を有することを特徴とする請求項１または２に記載の椅子。
【請求項４】
前記位置切換手段は、前記天板支持部の先端部に設けられ、前記天板を立設させる方向に回転させるとともに、該天板をその面と平行な方向に回転させることで、前記使用位置にある天板を前記肘掛けの側方の前記退避位置に移動させる回転機構となっていることを特徴とする請求項３に記載の椅子。
【請求項５】
前記天板は、前記退避位置にあるときにその化粧面を外方側に向けた状態となり、該退避位置にあるときの天板の前後寸法は、前記肘掛けの前後寸法に収まる寸法となっていることを特徴とする請求項３または４に記載の椅子。
【発明の詳細な説明】
【技術分野】
【０００１】
本発明は、肘掛けとメモ台とを備える椅子に関する。
【背景技術】
【０００２】
従来の椅子は、肘掛部（肘掛け）のテーブル板収納箱から出し入れ可能なテーブル板（メモ台）を備えている。このような椅子では、肘掛部外殻の前端に設けられた取付ブラケット（天板支持部）を介してテーブル板が支持されている（例えば、特許文献１参照）。
【０００３】
また、側脚（肘掛け）の上端前部に形成された段状の切り欠きに枢軸を設け、この枢軸にアーム（天板支持部）の基部を枢支して水平方向に回転できるようにし、このアームの先端部に天板を支持するようにした椅子がある（例えば、特許文献２参照）。
【先行技術文献】
【特許文献】
【０００４】
【特許文献１】特開２０１１‐２１７８４５号公報（第４〜６頁、第８〜１１図）
【特許文献２】特許４５７８６４６号公報（第３頁、第３図）
【発明の概要】
【発明が解決しようとする課題】
【０００５】
しかしながら、特許文献１に記載の椅子にあっては、テーブル板（メモ台）に荷重が加わった際に、肘掛部外殻の前端に設けられた取付ブラケット（天板支持部）に、その荷重が集中してしまうため、取付ブラケットの強度を向上させたいという要望がある。また、強度を向上させるために取付ブラケットを大型化すると、肘掛部（肘掛け）の見栄えを損ねるという問題がある。
【０００６】
また、特許文献２に記載の椅子にあっては、アーム（天板支持部）の基部が側脚（肘掛け）の枢軸に枢支され、アームの基部と側脚とが直接固定されておらず、取付強度が弱いという問題がある。
【０００７】
本発明は、このような問題点に着目してなされたもので、肘掛けの見栄えを損なうことなく、メモ台を肘掛けに取り付ける取付強度を向上させることができる椅子を提供することを目的とする。
【課題を解決するための手段】
【０００８】
前記課題を解決するために、本発明の椅子は、
肘掛けとメモ台とを備える椅子において、前記肘掛けは、着席者の肘を受ける肘受部と該肘受部の下方に設けられて該肘受部を支持する肘受支持部とを有し、前記メモ台は、天板と該天板を支持する天板支持部とを有し、該天板支持部の基部を前記肘受支持部に固定した状態で、該肘受支持部と前記肘受部との間に前記天板支持部の基部を挟み込むことを特徴としている。
この特徴によれば、肘受部を支持する肘受支持部を利用して天板支持部の基部が固定されるため、天板支持部の基部の大型化を図ることができるので、メモ台を肘掛けに取り付ける取付強度を向上させることができ、かつ肘受支持部と肘受部との間に天板支持部の基部が挟み込まれるため、肘受部により天板支持部の基部を隠蔽できるようになるので、肘掛けの見栄えが損なわれずに済むようになる。
【０００９】
本発明の椅子は、
前記天板支持部の基部は、前記肘受支持部の前後方向の略中央部に設けられることを特徴としている。
この特徴によれば、天板から天板支持部の基部に荷重が加わった際に、肘受支持部の前後方向の略中央部に荷重が伝達されるため、伝達された荷重を肘受支持部によりバランスよく支持できるので、着席者は支持された天板を安定して使用できる。
【００１０】
本発明の椅子は、
前記メモ台は、前記肘受部の上方に前記天板を配置して着席者が該天板を使用可能な使用位置と、前記肘受部の上方位置から前記天板を退避させる退避位置と、の間で切り換える位置切換手段を有することを特徴としている。
この特徴によれば、使用位置に天板があるときに、肘受部の上方に配置される天板を着席者が使い易くなり、かつ天板を使用しないときに、位置切換手段により天板を退避位置に退避させることで、肘受部全体を着席者が使用できるようになるので、天板と肘受部の双方の使い勝手を向上させることができる。
【００１１】
本発明の椅子は、
前記位置切換手段は、前記天板支持部の先端部に設けられ、前記天板を立設させる方向に回転させるとともに、該天板をその面と平行な方向に回転させることで、前記使用位置にある天板を前記肘掛けの側方の前記退避位置に移動させる回転機構となっていることを特徴としている。
この特徴によれば、位置切換手段は、回転動作により天板を移動させる回転機構となっているため、天板を使用位置から肘掛けの側方の退避位置に退避させる際に、椅子の周囲の空間をコンパクトに利用して天板を移動できるので、椅子の周辺にいる者に対して不用意に天板を干渉させることなく退避させることができ、かつ回転機構が天板支持部の先端部に設けられるため、移動される天板と肘掛けとの距離を離間させることができ、天板と肘掛けとの間に指等を挟んでしまうこともなくなる。
【００１２】
本発明の椅子は、
前記天板は、前記退避位置にあるときにその化粧面を外方側に向けた状態となり、該退避位置にあるときの天板の前後寸法は、前記肘掛けの前後寸法に収まる寸法となっていることを特徴としている。
この特徴によれば、退避位置にあるときに天板の化粧面が外方側を向くとともに、天板が肘掛けの前後寸法に収まるため、天板を退避させた際の見栄えを向上させることができる。
【図面の簡単な説明】
【００１３】
【図１】（ａ）は、天板が使用位置にある状態の椅子を示す正面図であり、（ｂ）は、天板が使用位置にある状態の椅子を示す側面図である。
【図２】（ａ）は、天板を立設させた状態の椅子を示す正面図であり、（ｂ）は、天板を立設させた状態の椅子を示す側面図である。
【図３】（ａ）は、天板が退避位置にある状態の椅子を示す正面図であり、（ｂ）は、天板が退避位置にある状態の椅子を示す側面図である。
【図４】肘掛けとメモ台とを示す分解斜視図である。
【図５】（ａ）は、肘受部を示す平面図であり、（ｂ）は、肘受支持部を示す平面図である。
【図６】天板支持部の基部を肘掛けに取り付けた状態を示す縦断正面図である。
【図７】天板支持部の基部を肘掛けに取り付けた状態を示す図６におけるＡ−Ａ縦断側面図である。
【図８】回転機構を示す分解斜視図である。
【発明を実施するための形態】
【００１４】
本発明に係る椅子を実施するための形態を実施例に基づいて以下に説明する。
【実施例】
【００１５】
実施例に係る椅子につき、図１から図８を参照して説明する。図１の符号１は、本発明の適用された椅子である。この椅子１は、応接室等で用いられるものであり、重厚な見栄えを有するデザインとなっている。
【００１６】
図１に示すように、本実施例の椅子１は、厚いクッション材を有する座部２と、この座部２の背面側から上方に立設された背凭れ３と、座部２及び背凭れ３の左右に配置された一対の肘掛け４，４と、一方の肘掛け４に取り付けられて着席者がメモ等を筆記する際に使用できるメモ台５と、を備えている。なお、図１（ａ）の正面図において左方側、つまり着席者の右手が配置される側を椅子１の右手側として以下に説明する。
【００１７】
また、左右に配置される肘掛け４，４は、側面視で四角形状をなす略箱状をなしている。この左右の肘掛け４，４は、座部２及び背凭れ３を介して互いに連結されるとともに、座部２の下方に配置された連結部材６を介しても連結される。更に、座部２、背凭れ３、連結部材６の表面は、見栄えを向上させるために布張りがなされている。なお、肘掛け４の表面も上端及び下端を除いた部位に布張りがなされている。また、各肘掛け４，４の下端には、キャスタ７が設けられており、椅子１を自在に移動させて使用できるようになっている。なお、左右の肘掛け４，４のうち、右手側に配置される肘掛け４に前述のメモ台５が取り付けられるようになっている。
【００１８】
図４に示すように、肘掛け４は、複数の略板状をなす木材を用いて略箱状に形成されている。なお、理解を助けるために図４において右手側の肘掛け４の布張りを省略して図示している。この肘掛け４は、キャスタ７が設けられた下辺部材８を有し、この下辺部材８の前後端部から上方に延びる前辺部材９及び後辺部材１０が立設される。また、後辺部材１０は若干前方に傾斜された状態で立設されており、肘掛け４が下方に拡大する安定的した形状にしている。
【００１９】
更に、これら前辺部材９及び後辺部材１０の上下方向の中間部同士を連結して肘掛け４を補強する補強部材１１が設けられている。また、前辺部材９及び後辺部材１０の上端部同士を連結する上辺部材１２が設けられている。なお、肘掛け４の骨材を構成する下辺部材８、前辺部材９、後辺部材１０、補強部材１１、及び後述する肘受支持部１４は、釘等の締結部材により互いに強固に連結されている。
【００２０】
更に、肘掛け４の上部には、着席者の肘を受けるための肘受部１３が設けられている。この肘受部１３は、長方形状をなす化粧板として形成されており、肘受部１３の上面側には、ネジ穴等が形成されておらず、見栄えを向上させている（図５（ａ）参照）。なお、肘受部１３は、前述の上辺部材１２の上面に固定された肘受支持部１４に取り付けられることで支持される。
【００２１】
また、肘受支持部１４の前後方向の中央部には、メモ台５の天板１５を支持する天板支持部１６が取り付けられる取付部１７が形成されている。この取付部１７は、肘受支持部１４の中央部に上方及び外側方から凹むように切り欠かれた部位となっている（図５（ｂ）参照）。
【００２２】
なお、取付部１７の上下深さ寸法は、肘受支持部１４の厚み寸法よりも小さくなっており、肘受支持部１４における取付部１７が形成された部位には、所定厚みを有する残部１８が設けられる。そして、この残部１８を上下方向に貫通する複数の貫通孔１９，２０が設けられている。更に、肘受支持部１４の前部及び後部にも貫通孔２０が設けられている。そして、上辺部材１２にも、肘受支持部１４に設けられた貫通孔１９，２０と同一の位置に貫通孔２１が設けられている。
【００２３】
図４に示すように、肘受支持部１４の取付部１７の形状は、メモ台５の天板支持部１６の基部２２が嵌る形状となっている。更に、天板支持部１６の基部２２は、平面視で矩形状をなす平板状の部位となっており、その厚み寸法は、取付部１７の上下深さ寸法と略同一寸法となっている（図６参照）。また、天板支持部１６の基部２２には、肘受支持部１４の取付部１７に設けられた貫通孔１９に対応する位置に、上下方向に貫通する複数の挿通孔２３が設けられている。
【００２４】
図６及び図７に示すように、天板支持部１６を肘掛け４に取り付ける際には、肘受支持部１４の取付部１７に天板支持部１６の基部２２を嵌め込んだ状態で、天板支持部１６の基部２２の挿通孔２３に螺合部材２４を挿通させるようにする。そして、この螺合部材２４を、肘受支持部１４の残部１８と上辺部材１２とに設けられた貫通孔１９，２１を挿通させ、上辺部材１２の下面に設けられた被螺合金具２５に、螺合部材２４の先端を螺合させることで、天板支持部１６を肘受支持部１４及び上辺部材１２に固定できる。なお、被螺合金具２５は、鋲状の突起が上辺部材１２の下面に食い込むことで固定されている。
【００２５】
更に、天板支持部１６の基部２２を肘受支持部１４の取付部１７に固定した状態で、肘受支持部１４の上面に肘受部１３を配置することで、肘受支持部１４と肘受部１３との間に天板支持部１６の基部２２を挟み込んだ状態とする。そして、肘受部１３を固定するための螺合部材（図示略）を上辺部材１２の下方から貫通孔（図示略）を介して挿設させるとともに、肘受支持部１４の貫通孔２０を挿通させて、肘受部１３の下面に形成された穴部２６に螺合させる（図５（ａ）及び図５（ｂ）参照）。
【００２６】
また、肘受部１３の下面に形成された穴部２６は、前部、中央部、後部の３箇所に設けられており、この３箇所が肘受支持部１４に固定されることにより、肘受部１３がぐらつかないようになっているとともに、肘受部１３を肘受支持部１４に固定する固定力を、肘受部１３の下方に設けられる天板支持部１６の基部２２を固定する固定力に利用できるため、天板支持部１６の基部２２のぐらつきや浮き上がりがその上面を抑える肘受部１３により防止されるので、メモ台５を肘掛け４に取り付ける取付強度を向上させることができる。
【００２７】
また、肘受部１３の範囲の一部を、天板支持部１６の基部２２を固定するための部位として用いているため、メモ台５を肘掛け４に設ける際に、肘受部１３が天板支持部１６の基部２２の制約を受けることなくなるので、充分な長さの肘受部１３を設けることができる。更に、着席者の手が配置される天板１５を支持する天板支持部１６を、手の直近の肘が置かれる肘掛け４を利用して固定するため、天板１５から天板支持部１６の基部２２までの距離を短寸に形成できるので、天板１５に荷重が加わった際の天板支持部１６に対する強度的負担を低減できる。
【００２８】
また、肘受部１３の前部及び後部が肘受支持部１４に固定され、その中央部に天板支持部１６の基部２２が配置されるため、天板支持部１６の基部２２のぐらつきや浮き上がりを効率的に抑えることができるので、メモ台５を肘掛け４に取り付ける取付強度を向上させることができる。更に、肘受部１３の前後方向の寸法を、天板支持部１６の基部２２の配置範囲に制約されずに自由に設計することができる。
【００２９】
図６及び図７に示すように、天板支持部１６は、その基部２２から前方かつ上方に向かって延びている。そして、天板支持部１６の先端部２７は、前後方向に延びる略棒状をなす部位となっており（図８参照）、この天板支持部１６の先端部２７には、天板１５を移動させるための回転機構２８が設けられている。
【００３０】
図８に示すように、回転機構２８は、天板支持部１６の先端部２７を覆う半球形状をなす受け部材２９を有している。そして、この受け部材２９に覆われた天板支持部１６の先端部２７は、天板１５の面を立設させる方向に回転させる際の回転軸として用いられる。また、この天板支持部１６の先端部２７には、所定角度で天板１５の回転を規制するとともに、受け部材２９の抜け止めとなる正面視で略Ｌ字状をなすストッパ３０が溶接されている。なお、天板１５の回転は、受け部材２９の上部を閉塞する後述の閉塞板３１がストッパ３０に接触されることで規制される。
【００３１】
また、受け部材２９の内面は、棒状をなす天板支持部１６の先端部２７及びストッパ３０が嵌合される形状となっている。更に、受け部材２９に天板支持部１６の先端部２７が嵌合された状態で、上方から天板支持部１６の先端部２７を押える押え部材３２が設けられる。そして、この押え部材３２の上方から円板状の閉塞板３１が受け部材２９の開口に嵌合される。この閉塞板３１の上面中央には、天板１５をその面と平行な方向に回転させる際に用いられる回転軸３３が突設される。また、閉塞板３１の上面中央から偏心した位置には、ピン３４が上向きに突設されている。
【００３２】
また、締結ねじ３５を、受け部材２９の４箇所に設けた上下方向の挿通孔３６を通して、閉塞板３１に設けた４箇所のねじ孔４６に螺合して締め付けることにより、閉塞板３１の回転軸３３が天板支持部１６の先端部２７と直交する方向に向いた状態で、閉塞板３１が取り付けられる。また、回転機構２８は、天板１５の下面にねじ止めされる板状をなすブラケット３７と、このブラケット３７と閉塞板３１との間に配置される回転カラー３８と、ブラケット３７の上方に配置される押え板３９と、座金４０と、を有している。
【００３３】
更に、ブラケット３７には、閉塞板３１の回転軸３３が挿設される軸孔４１と、この軸孔４１を中心とする１８０°の範囲に亘る円弧状をなす円弧孔４２と、が設けられている。また、回転カラー３８の上面中央には、閉塞板３１の回転軸３３に外嵌するとともに、ブラケット３７の軸孔４１に嵌合されるボス４３が設けられている。また、回転カラー３８の外周部には、ピン３４が挿通される挿通孔４４と、ねじ孔４６より上方に突出した締結ねじ３５の上端部と干渉するのを避けるための４個の切欠部４５と、が設けられている。
【００３４】
そして、閉塞板３１のピン３４は、円弧孔４２に挿通された状態で押え板３９の係合孔４７に係合させる。更に、押え板３９上に座金４０を設け、この座金４０の軸孔４８の上方より挿通した固定ねじ４９を、閉塞板３１の回転軸３３の上端中央に設けたねじ孔５０に螺合して締め付けることにより、ブラケット３７が回転軸３３を中心として回転可能に取り付けられ、かつピン３４及び円弧孔４２によりブラケット３７の回転範囲が規制されるようになる。更に、天板１５の下面にブラケット３７が螺着される。なお、天板１５の下面には、押え板３９等が配置される凹部（図示略）が形成されている。
【００３５】
図１に示すように、メモ台５の天板１５は、着席者が使用するときに、右手側の肘掛け４の上方を跨ぐように配置され、着席者の前方位置に配置される。また、本実施例における天板１５は、平面視において略Ｌ字状をなし（図４参照）、着席者の前方から右腕まで延設された形状となっている。なお、着席者の前方位置に配置された天板１５の位置が使用位置となっている。
【００３６】
図２に示すように、回転機構２８を軸心として天板１５を跳ね上げて立設させることができる。なお、前述した回転機構２８は、天板１５の一側辺（右手側の縁辺）近傍に設けられており、天板１５は、この一側辺近傍を軸として回転動作により立設される。また、天板１５は、前述したストッパ３０（図８参照）の一端が閉塞板３１（図８参照）に接触されることにより、立設した状態で回転動作が規制される。
【００３７】
図３に示すように、立設した状態の天板１５を前述の閉塞板３１の回転軸３３（図８参照）を軸心として回転動作させることで、天板１５をその面と平行な方向に回転させることができ、肘掛け４の右手側の側方位置に移動させることができる。なお、この肘掛け４の右手側の側方位置に配置された天板１５の位置が退避位置となっている。なお、回転機構２８は、天板１５を使用位置と退避位置との間で切り換える本発明における位置切換手段を構成している。
【００３８】
また、図３（ａ）に示すように、退避位置にあるときの天板１５は、肘掛け４の側面から離間された状態で配置されるため、天板１５と肘掛け４との間に指等を挟んでしまうこともなくなる。更に、着席者が肘掛け４に肘を掛けても退避位置にある天板１５が邪魔になることがない。
【００３９】
なお、図３（ｂ）に示すように、天板１５は、退避位置にあるときにその化粧面を外方側に向けた状態となり、この退避位置にあるときの天板１５の前後寸法Ｌ１は、肘掛け４の前後寸法Ｌ２に収まる寸法となっている。更に、退避位置にあるときに天板１５の後辺となる部位は、肘掛け４の後辺（後辺部材１０）に沿う傾斜された形状となっており、天板１５を肘掛け４の前後寸法Ｌ２内に収めるとともに、天板１５の面積を広く形成できるようになっている。
【００４０】
以上説明したように、本実施例に係る椅子１においては、天板支持部１６の基部２２を肘受支持部１４に固定した状態で、肘受支持部１４と肘受部１３との間に天板支持部１６の基部２２を挟み込むことで、肘受部１３を支持する肘受支持部１４を利用して天板支持部１６の基部２２が固定されるため、天板支持部１６の基部２２の大型化を図ることができるので、メモ台５を肘掛け４に取り付ける取付強度を向上させることができ、かつ肘受支持部１４と肘受部１３との間に天板支持部１６の基部２２が挟み込まれるため、肘受部１３により天板支持部１６の基部２２を隠蔽できるようになるので、肘掛け４の見栄えが損なわれずに済むようになる。
【００４１】
また、天板支持部１６の基部２２は、肘受支持部１４の前後方向の略中央部に設けられることで、天板１５から天板支持部１６の基部２２に荷重が加わった際に、肘受支持部１４の前後方向の略中央部に荷重が伝達されるため、伝達された荷重を肘受支持部１４によりバランスよく支持できるので、着席者は支持された天板１５を安定して使用できる。
【００４２】
また、メモ台５は、肘受部１３の上方に天板１５を配置して着席者が天板１５を使用可能な使用位置と、肘受部１３の上方位置から天板１５を退避させる退避位置と、の間で切り換えることで、使用位置に天板１５があるときに、肘受部１３の上方に配置される天板１５を着席者が使い易くなり、かつ天板１５を使用しないときに、回転機構２８により天板１５を退避位置に退避させることで、肘受部１３全体を着席者が使用できるようになるので、天板１５と肘受部１３の双方の使い勝手を向上させることができる。
【００４３】
また、天板１５を立設させる方向に回転させるとともに、天板１５をその面と平行な方向に回転させることで、使用位置にある天板１５を肘掛け４の側方の退避位置に移動させる回転機構２８が設けられることで、回転動作により天板１５を移動させるようになっているため、天板１５を使用位置から肘掛け４の側方の退避位置に退避させる際に、椅子１の周囲の空間をコンパクトに利用して天板１５を移動できるので、椅子１の周辺にいる者に対して不用意に天板１５を干渉させることなく退避させることができる。なお、天板１５を退避位置から使用位置に移動させる際も同様に、椅子１の周辺にいる者に対して不用意に天板１５を干渉させることなく移動させることができる。更に、回転機構２８が天板支持部１６の先端部２７に設けられるため、移動される天板１５と肘掛け４とを離間させることができるので、天板１５と肘掛け４との間に指等を挟んでしまうこともなくなる。
【００４４】
また、天板１５は、退避位置にあるときにその化粧面を外方側に向けた状態となり、退避位置にあるときの天板１５の前後寸法Ｌ１は、肘掛けの前後寸法Ｌ２に収まる寸法となっていることで、退避位置にあるときに天板１５の化粧面が外方側を向くとともに、天板１５が肘掛け４の前後寸法Ｌ２に収まるため、天板１５を退避させた際の見栄えを向上させることができる。なお、本実施例では、天板１５を肘掛け４の側方に退避させるため、従来技術としての肘掛けに天板を収納する収納箱を設ける態様と比較して、天板１５のデザインを自由に設計することができる。
【００４５】
以上、本発明の実施例を図面により説明してきたが、具体的な構成はこれら実施例に限られるものではなく、本発明の要旨を逸脱しない範囲における変更や追加があっても本発明に含まれる。
【００４６】
例えば、前記実施例では、螺合部材２４を肘受部１３と肘受支持部１４の固定に用いたが、肘受部１３の下面と肘受支持部１４の上面とを接着剤を用いて固定するようにしてもよいし、肘受部１３の穴部２６と肘受支持部１４の貫通孔２０とをダボを用いて結合させるようにしてもよい。
【００４７】
また、前記実施例では、退避位置にあるときの天板１５の前後寸法Ｌ１は、肘掛けの前後寸法Ｌ２に収まる寸法となっているが、本発明はこれに限ることなく、肘掛けの前後寸法Ｌ２よりも大きな天板１５を形成してもよく、従来技術としての肘掛けに天板を収納する収納箱を設ける態様と比較して、天板１５の大きさを自由に設計することができる。
【符号の説明】
【００４８】
１                椅子
４                肘掛け
５                メモ台
１２              上辺部材
１３              肘受部
１４              肘受支持部
１５              天板
１６              天板支持部
１７              取付部
２２              基部
２８              回転機構
【図１】
2014087414.tif 000003
【図２】
2014087414.tif 000004
【図３】
2014087414.tif 000005
【図４】
2014087414.tif 000006
【図５】
2014087414.tif 000007
【図６】
2014087414.tif 000008
【図７】
2014087414.tif 000009
【図８】
2014087414.tif 000010